(57)【要約】【課題】筐体を構成するカバー及びボディの剛性及び強度の低下を抑制して、筐体に電線用孔を設けたテーブルタップを提供する。【解決手段】テーブルタップ１は、筐体と、受け部７０Ａ，７０Ｂ，９０と、リード部８０Ａ，８０Ｂ，９１と、電線５ａ，５ｂ，５ｃと、を備えている。筐体３は、差込孔２１を有する。受け部７０Ａ，７０Ｂ，９０は、筐体３に収容され、差込孔２１に差し込まれた差込プラブの導体と電気的に接続する。リード部８０Ａ，８０Ｂ，９１は、筐体３に収容され、受け部７０Ａ，７０Ｂ，９０に連結されている。電線５ａ，５ｂ，５ｃは、リード部８０Ａ，８０Ｂ，９１に電気的に接続されている。筐体３は、カバー５０と、ボディ４０と、を有する。ボディ４０は、全周が閉じた電線用孔４を有する。電線５ａ，５ｂ，５ｃは、電線用孔４を通じて配置されている。【選択図】図２
2019185894.tif 000002
【特許請求の範囲】
【請求項１】
差込プラグの導体が差し込まれる差込孔を有する筐体と、
前記筐体に収容され、前記差込孔に差し込まれた前記導体と電気的に接続する受け部と、
前記筐体に収容され、前記受け部に連結されたリード部と、
前記リード部に電気的に接続された電線と、を備え、
前記筐体は、
前記差込孔を有するカバーと、
前記カバーが取り付けられる開口部、及び前記開口部と繋がった内部空間を有し、前記内部空間に前記受け部及び前記リード部が収容されたボディと、を有し、
前記ボディは、全周が閉じた電線用孔を有し、
前記電線は、前記電線用孔を通じて配置された、
テーブルタップ。
【請求項２】
前記筐体は、前記内部空間において、前記電線用孔を通った前記電線を挟む挟持部を有する、
請求項１に記載のテーブルタップ。
【請求項３】
前記挟持部は、
前記ボディに設けられた第１挟持壁部と、
前記カバーに設けられた第２挟持壁部と、を有し、
前記カバーが前記開口部に取り付けられた状態で、前記第１挟持壁部及び前記第２挟持壁部によって前記電線が挟まれる、
請求項１又は２に記載のテーブルタップ。
【請求項４】
前記第１挟持壁部は、互いの厚さ方向に間隔を空けて並んだ複数の第１壁部を有し、
前記第２挟持壁部は、互いの厚さ方向に間隔を空けて並んだ複数の第２壁部を有する、
請求項３に記載のテーブルタップ。
【請求項５】
前記ボディは、前記第１挟持壁部の両端部のうちの少なくとも一方に、前記第１挟持壁部と一体的に形成された第１ボス部を有し、
前記カバーは、前記第２挟持壁部の両端部のうちの少なくとも一方に、前記第２挟持壁部と一体的に形成された第２ボス部を有する、
請求項３又は４に記載のテーブルタップ。
【請求項６】
前記カバーが前記開口部に取り付けられた状態で、前記第１ボス部及び前記第２ボス部は、互いに締結される、
請求項５に記載のテーブルタップ。
【請求項７】
前記カバーが前記開口部に取り付けられた状態で、前記カバーの外周部は、前記開口部の内側に嵌まる、
請求項１〜６のいずれか１項に記載のテーブルタップ。
【請求項８】
前記カバーは、
前記カバーの裏面の周縁部に設けられた外側壁部と、
前記カバーの裏面において前記外側壁部よりも内側に設けられた内側壁部と、を有する、
請求項１〜７いずれか１項に記載のテーブルタップ。
【請求項９】
前記ボディには、第１挟持壁部設けられ、
前記カバーには、第２挟持壁部が設けられ、
前記カバーが前記開口部に取り付けられた状態で、前記第１挟持壁部及び前記第２挟持壁部によって前記電線が挟まれ、
前記内側壁部の両端部は、前記第２挟持壁部の両端部に繋がっている、
請求項８に記載のテーブルタップ。
【請求項１０】
前記ボディの内周面には、前記ボディの深さ方向に延びた縦リブが設けられ、
前記縦リブにおける前記開口部の側の端部には、前記カバーが前記開口部に取り付けられた状態で、前記カバーの前記外側壁部が嵌る凹部が設けられた、
請求項８に記載のテーブルタップ。
【請求項１１】
前記ボディの前記内周面の下部は、前記内周面の下端に向かって前記ボディの内部側に傾斜し、
前記縦リブの下部は、前記内周面の下部に沿って前記ボディの内部側に傾斜している、
請求項１０に記載のテーブルタップ。
【請求項１２】
前記カバーに対する前記内側壁部の高さは、前記カバーに対する前記外側壁部の高さよりも高い、
請求項８〜１１の何れか１項に記載のテーブルタップ。
【請求項１３】
前記電線に所定の電流値以上の電流が流れると、前記電線を遮断する遮断部を更に備える、
請求項１〜１２のいずれか１項に記載のテーブルタップ。
【請求項１４】
前記カバーには、前記受け部を保持するコンセントブロックを位置決めする位置決め部が設けられている、
請求項１〜１３のいずれか１項に記載のテーブルタップ。
【請求項１５】
前記カバーには、前記電線を仮固定する仮固定部が設けられた、
請求項１〜１４のいずれか１項に記載のテーブルタップ。
【請求項１６】
前記リード部は、複数のリード部であり、
前記電線は、前記複数のリード部に一対一に対応し、対応するリード部に電気的に接続された複数の電線であり、
前記複数の電線は、外装で束ねられており、前記外装の端部から互いに同じ長さ引き出された引出電線部を有し、
前記仮固定部は、前記複数の電線のうち、アース用の電線の前記引出電線部が、他の電線の前記引出電線部よりも弛みが少なくなるように、前記アース用の電線の前記引出電線部を前記カバーに仮固定する、
請求項１５に記載のテーブルタップ。
【発明の詳細な説明】
【技術分野】
【０００１】
本開示は、一般にテーブルタップに関し、より詳細には、差込プラグの導体が接続される受け部を備えたテーブルタップに関する。
【背景技術】
【０００２】
特許文献１に記載のテーブルタップは、器体（筐体）と、刃受け部材（受け部）と、導電板（リード部）と、電源コード（電線）とを備えている。器体は、刃受け部材及び導電板を収容する。器体は、電極挿入口及び電線用孔を有する。刃受け部材は、器体の電極挿入口に差し込まれたプラグの栓刃（電極）と電気的に接続される。導電板は、刃受け部材と連結されている。電線コードの一端部は、導電板に接続され、電線コードの他端部は、筐体の電線用孔を通って筐体の内部から外部に引き出されている。
【０００３】
器体は、電線用孔を直径に沿って二分割するように、ボディとカバーとに分割されている。したがって、ボディの周壁部の先端面（すなわちカバーとの連結面）には、二分割された電線用孔の片側を構成する凹溝部が設けられている。カバーの周壁部の先端面（すなわちボディとの連結面）には、二分割された電線用孔のもう片側を構成する凹溝部が設けられている。
【先行技術文献】
【特許文献】
【０００４】
【特許文献１】特開２０１２−１７４５０３号公報
【発明の概要】
【発明が解決しようとする課題】
【０００５】
特許文献１に記載のテーブルタップでは、上述のように、ボディの周壁部の先端面には、凹溝部が設けられている。この凹溝部は、ボディの周壁部の厚さ方向に貫通しており、更に、ボディの周壁部の先端面で開放している。このため、この凹溝部は、ボディの剛性及び強度を低下させる要因となる。同様に、カバーに設けられた上記の凹溝部も、カバーの剛性及び強度を低下させる要因となる。
【０００６】
そこで、本開示は、上記事由に鑑み、筐体を構成するカバー及びボディの剛性及び強度の低下を抑制して、筐体に電線用孔が設けられたテーブルタップを提供することを目的とする。
【課題を解決するための手段】
【０００７】
本開示の一態様に係るテーブルタップは、筐体と、受け部と、リード部と、電線と、を備えている。前記筐体は、差込プラグの導体が差し込まれる差込孔を有する。前記受け部は、前記筐体に収容され、前記差込孔に差し込まれた前記導体と電気的に接続する。前記リード部は、前記筐体に収容され、前記受け部に連結されている。前記電線は、前記リード部に電気的に接続されている。前記筐体は、カバーと、ボディと、を有する。前記カバーは、前記差込孔を有する。前記ボディは、前記カバーが取り付けられる開口部、及び前記開口部と繋がった内部空間を有し、前記内部空間に前記受け部及び前記リード部を収容する。前記ボディは、全周が閉じた電線用孔を有する。前記電線は、前記電線用孔を通じて配置されている。
【発明の効果】
【０００８】
本開示は、筐体を構成するカバー及びボディの剛性及び強度の低下を抑制して、筐体に電線用孔を設けることができる、という効果がある。
【図面の簡単な説明】
【０００９】
【図１】図１は、本開示の一実施形態に係るテーブルタップの斜視図である。
【図２】図２は、同上のテーブルタップの分解斜視図である。
【図３】図３は、図１のＡ−Ａ線に沿った断面図である。
【図４】図４は、カバーの裏面及び各種部品を示す分解斜視図である。
【図５】図５は、カバーの裏面に各種部品を配置させた状態を示す斜視図である。
【図６】図６は、一対の電極部材を示す斜視図である。
【図７】図７は、図６のＢ−Ｂ線に沿った断面図である。
【図８】図８は、アース用の導電部材を示す斜視図である。
【図９】図９Ａは、コンセントブロックを下側から見た斜視図である。図９Ｂは、コンセントブロックを上側から見た斜視図である。
【図１０】図１０は、図１のＣ−Ｃ線に沿った部分断面図である。
【発明を実施するための形態】
【００１０】
以下、本開示の一実施形態に係るテーブルタップについて、図面を参照して具体的に説明する。なお、以下に説明する構成は、本開示の一例に過ぎず、本開示は下記の実施形態に限定されない。したがって、この実施形態以外であっても、本開示に係る技術的思想を逸脱しない範囲であれば、設計等に応じて種々の変更が可能である。
【００１１】
以下の説明では、特に断りがない限り、図１〜図１０において、「上」、「下」、「左」、「右」、「前」、「後」の矢印で示す通りに、上、下、左、右、前、後の各方向を規定する。したがって、本実施形態では、筐体３の長手方向が前後方向、筐体３の短手方向（幅方向）が左右方向、筐体３の厚み方向が上下方向となる。ただし、これらの方向は、テーブルタップ１の使用方向を限定する趣旨ではない。また、図面中の各方向を示す矢印は説明のために表記しているに過ぎず、実体を伴わない。
【００１２】
（概要）
図１を参照して、本実施形態のテーブルタップ１の概要について（外観を中心に）説明する。図１に示すように、テーブルタップ１は、差込プラグ２００が差込可能であり、差し込まれた差込プラグ２００に電力を供給する装置である。テーブルタップ１は、３つのコンセント２（アウトレットとも言う）を有する。３つのコンセント２に１つずつ差込プラグ２００が差込可能である。すなわち、テーブルタップ１は、差込プラグ２００を同時に最大３つまで差込可能である。なお、コンセント２の個数（すなわちテーブルタップ１に同時に差込可能な差込プラグ２００の個数）は、３つに限定されない。差込プラグ２００は、例えば電気機器から引き出された電線２０１の端部に接続されている。差込プラグ２００は、複数の導体２０２（一対の電極２０２ａ，２０２ｂ及び１つの接地端子２０２ｃ）を有している。
【００１３】
テーブルタップ１は、筐体３を備えている。筐体３は、テーブルタップ１の各種部品８（図２参照）を収容する外郭である。筐体３は、例えば、前後方向に延びた略直方体形の箱状であり、上面３１、下面３２、左側面３３、右側面３４、前側面３５、及び後側面３６を有する。本実施形態では、上面３１及び下面３２は、例えば、前後方向に延びた長円状である。左側面３３及び右側面３４は、前後方向に延びた略矩形状である。前側面３５は、前方に凸の半筒（すなわち円筒を縦半分に割った形）状である。後側面３６は、後方に凸の半筒状である。下面３２は、例えば、上面３１よりも一周り小さく形成されている。これに伴って、左側面３３、右側面３４、前側面３５、及び後側面３６は、上面３１側から下面３２側に向かって筐体３の内側に傾斜している。
【００１４】
前側面３５には、電線用孔４が設けられている。この電線用孔４を通じて、外部電源に接続された電源ケーブル５が、筐体３の外部から内部に引き込まれている。筐体３の内部に引き込まれた電源ケーブル５は、筐体３に収容された各種部品８（図２参照）のうちの電気部品に接続されている。
【００１５】
電線用孔４と電源ケーブル５との間には、筒状のブッシュ部材Ｂ１が設けられている。すなわち、電線用孔４にブッシュ部材Ｂ１が挿入され、このブッシュ部材Ｂ１の中に電源ケーブル５が通されている。ブッシュ部材Ｂ１の一端部は筐体３の外に露出され、ブッシュ部材Ｂ１の他端部は筐体３内に挿入されている。ブッシュ部材Ｂ１は、一端部から他端部に向かって外径が拡径している。ブッシュ部材Ｂ１の他端部には、外周に突出したフランジ部Ｂ１ａが設けられている（図２参照）。このブッシュ部材Ｂ１は無くてもよい。
【００１６】
上面３１には、３つのコンセント２と、遮断スイッチ６とが設けられている。すなわち筐体３は、３つのコンセント２を有する。３つのコンセント２は、一方向（例えば上面３１の長手方向）に並んでいる。３つのコンセント２の各々は、一組の差込孔２１を有する。この一組の差込孔２１（すなわち１つのコンセント２）が１つの差込プラグ２００に対応する。一組の差込孔２１は、３つの差込孔２１ａ，２１ｂ，２１ｃ（すなわち一対の差込孔２１ａ，２１ｂ及び１つの差込孔２１ｃ）を有する。一組の３つの差込孔２１ａ，２１ｂ，２１ｃには、１つの差込プラグ２００の３つの導体２０２（すなわち一対の電極２０２ａ，２０２ｂ及び１つの接地端子２０２ｃ）が差し込まれる。なお、一組の差込孔２１の個数は、３つに限定されず、１つの差込プラグ２００の有する導体２０２の個数に応じて決めることができる。
【００１７】
一組の３つの差込孔２１ａ，２１ｂ，２１ｃのうち、一対の差込孔２１ａ，２１ｂ（第１差込孔）の各々は、差込プラグ２００の一対の電極２０２ａ，２０２ｂの各々が差し込まれる差込孔であり、上面３１の長手方向に沿って並んでいる。したがって、一対の差込孔２１ａ，２１ｂの各々が並ぶ方向は、３つのコンセント２が並ぶ方向と一致する。残り１つの差込孔２１ｃ（第２差込孔）は、差込プラグ２００の接地端子２０２ｃが差し込まれる差込孔であり、一対の差込孔２１ａ，２１ｂにおける左右方向の片側（例えば左側）に配置されている。
【００１８】
このテーブルタップ１では、差込プラグ２００の３つの導体２０２（２０２ａ，２０２ｂ，２０２ｃ）が一組の３つの差込孔２１ａ，２１ｂ，２１ｃに差し込まれることで、テーブルタップ１と差込プラグ２００とが互いに電気的に接続される。この結果、テーブルタップ１から差込プラグ２００に電力が供給される。
【００１９】
遮断スイッチ６は、テーブルタップ１からテーブルタップ１に差し込まれた差込プラグ２００への電力の供給及び停止を手動で切り替えるためのスイッチである。遮断スイッチ６がオンのときは、テーブルタップ１からテーブルタップ１に差し込まれた差込プラグ２００に電力が供給される。遮断スイッチ６がオフのときは、テーブルタップ１からテーブルタップ１に差し込まれた差込プラグ２００への電力供給が停止される。
【００２０】
遮断スイッチ６は、過電流遮断機能を有する。すなわち、遮断スイッチ６は、テーブルタップ１の内部の電気部品に所定の電流値未満の電流が流れる場合は、手動でオン又はオフの切り替えが可能である。他方、遮断スイッチ６は、テーブルタップ１の内部の電気部品に所定の電流値以上の電流（すなわち過電流）が流れると、自動的にオンからオフに切り替わる。これにより、例えば、電源ケーブル５に過電流が流れた場合、その過電流が、テーブルタップ１に差し込まれた差込プラグ２００に流れることを防止できる。
【００２１】
上面３１は、第１領域３７と、第２領域３８とに区分されている。第１領域３７は、上面３１の長手方向（すなわち前後方向）の長さのうち、上面３１の後端から中央前寄りの所までの範囲（例えば上面３１のうちの後側の３分の２の範囲）である。第２領域３８は、上面３１の長手方向の長さのうち、上面３１の前端から中央前寄りの所までの範囲（例えば上面３１のうちの前側の３分の１の範囲）である。第１領域３７は、第２領域３８よりも一段高くなっている。
【００２２】
複数（３つ）のコンセント２（すなわち複数組（３組）の差込孔２１）は、上面３１の長手方向（すなわち前後方向）に並んでいる。本実施形態では、複数のコンセント２は、例えば、上面３１の第１領域３７に並べられている。遮断スイッチ６は、例えば、上面３１の第２領域３８に配置されている。
【００２３】
このように、テーブルタップ１は、電源ケーブル５を介して外部電源から電力が入力される。そして、差込プラグ２００がテーブルタップ１のコンセント２に差し込まれると、差込プラグ２００とテーブルタップ１とが電気的に接続される。遮断スイッチ６がオンのときは、差込プラグ２００がテーブルタップ１のコンセント２に差し込まれることで、テーブルタップ１から差込プラグ２００に電力が供給される。その電力供給の際、遮断スイッチ６が手動でオンからオフに切り替えられると、テーブルタップ１から差込プラグ２００への電力供給が止められる。また、テーブルタップ１に過電流が流れると、遮断スイッチ６が自動的にオンからオフに切り替わり、テーブルタップ１から差込プラグ２００への電力供給が止められる。
【００２４】
（詳細説明）
次に図２〜図１０を参照して、テーブルタップ１の構成について説明する。
【００２５】
図２に示すように、テーブルタップ１は、筐体３と、筐体３に収容される各種部品８と、を備えている。筐体３は、ボディ４０と、カバー５０と、を有する。ボディ４０は、各種部品８を収容する内部空間４０ｆを有する箱状（例えば底深の箱状）で、内部空間４０ｆと繋がった開口部４０ａを有する。カバー５０は、ボディ４０の開口部４０ａを閉じる部材であり、例えば板状である。各種部品８は、一対の電極部材１０Ａ，１０Ｂ、アース用の導電部材１２、複数のコンセントブロック１３、及び遮断スイッチ６を含む。
【００２６】
（ボディ４０）
図２及び図３を参照して、ボディ４０について説明する。ボディ４０は、例えばＰＣＡＢＳ樹脂などの熱可塑性樹脂で形成されている。図２に示すように、ボディ４０は、前後方向に延びた略直方体形で、上面に開口部４０ａを有する箱状である。ボディ４０は、底壁４１と、左側壁４２と、右側壁４３と、前側壁４４と、後側壁４５と、を有する。
【００２７】
底壁４１、左側壁４２、右側壁４３、前側壁４４、及び後側壁４５の各々の外面（すなわち外側主面）が、筐体３の下面３２、左側面３３、右側面３４、前側面３５、及び後側面３６になっている。左側壁４２、右側壁４３、前側壁４４、及び後側壁４５によって、ボディ４０の周壁部４６が構成されている。左側壁４２、右側壁４３、前側壁４４、及び後側壁４５の内面（すなわち内側主面）によって、周壁部４６の内周面４６ｂが構成されている。左側壁４２、右側壁４３、前側壁４４、及び後側壁４５の各々の上端部によって、開口部４０ａの周縁部４０ｂが形成されている。底壁４１、左側壁４２、右側壁４３、前側壁４４、及び後側壁４５で囲まれた空間が内部空間４０ｆである。
【００２８】
底壁４１は、前後方向に長い略矩形板状（例えば長円板状）である。左側壁４２及び右側壁４３は、底壁４１の短手方向（左右方向）における両端から上方に立ち上がっている。前側壁４４及び後側壁４５は、底壁４１の長手方向（前後方向）における両端から上方に立ち上がっている。前側壁４４は、例えば、底壁４１の前端の円弧形状に沿って前方に凸の半円筒状に湾曲している。後側壁４５は、例えば、底壁４１の後端の円弧形状に沿って後方に凸の半円筒状に湾曲している。底壁４１は、例えば、上面の開口部４０ａよりも一周り小さく形成されている。これに伴って、左側壁４２、右側壁４３、前側壁４４、及び後側壁４５は、開口部４０ａ側から底壁４１側に向かってボディ４０の内側に傾斜している。
【００２９】
底壁４１の内面（上面）は、複数（例えば４つ）の区画領域１５を有する。複数の区画領域１５は、底壁４１の内面における長手方向（前後方向）に並んでいる。複数の区画領域１５のうち、前側の１つの区画領域１５には、遮断スイッチ６が配置される。後側の３つの区画領域１５は、カバー５０の３つのコンセント２に一対一に対応し、対応するコンセント２に対応する部品（コンセントブロック１３，一対の受け部７０，受け部９０など）が配置される。
【００３０】
ボディ４０の前側壁４４には、電源ケーブル５が通る電線用孔４が設けられている。電線用孔４は、例えば前側壁４４の中央に設けられており、前側壁４４の厚さ方向に貫通している。電線用孔４の開口の輪郭は、例えば円形である。電線用孔４の開口の輪郭の全周は、閉じている。電線用孔の全周が閉じているため、ボディに電線用孔が設けられても、電線用孔によって、ボディの強度及び剛性が低下することを防止できる。
【００３１】
図２及び図３に示すように、ボディ４０の周縁部４０ｂは、外周縁部４０ｃと、内周縁部４０ｄと、を有する。外周縁部４０ｃは、周縁部４０ｂの幅方向の外側半分であり、内周縁部４０ｄは、周縁部４０ｂの幅方向の内側半分である。内周縁部４０ｄは、外周縁部４０ｃよりも一段低くなっている。これにより、外周縁部４０ｃと内周縁部４０ｄとの間に段差部４０ｅが形成される。カバー５０によってボディ４０の開口部４０ａが閉じられると、カバー５０の後述の外側壁部５１が内周縁部４０ｄに引っ掛かる。この結果、ボディ４０の深さ方向に対するカバー５０の位置が、開口部４０ａの開口面の位置に位置決めされる。さらに、カバー５０の後述の外側壁部５１が段差部４０ｅに接触して、開口部４０ａの開口面上の所定位置にカバー５０が位置決めされる。
【００３２】
図２に示すように、ボディ４０には、複数の縦リブ６０と、第１挟持壁部６１と、複数のボス部６２と、複数の突起部６３と、が設けられている。
【００３３】
複数（例えば８つ）の縦リブ６０は、ボディ４０の剛性及び強度を補強する部分である。複数の縦リブ６０は、ボディ４０の内周面４６ｂに設けられている。複数の縦リブ６０は、ボディ４０の内周面４６ｂの周方向に互いに間隔を空けて配置されている。本実施形態では、左側壁４２の内面に３つ、右側壁４３の内面に３つ、前側壁４４の内面に２つ設けられている。左側壁４２及び右側壁４３の各々の３つの縦リブ６０は、例えば、底壁４１の区画領域１５の境界に沿って配置されている。前側壁４４の２つの縦リブ６０は、電線用孔４の左右両側に配置されている。各縦リブ６０は、平板状に形成されており、ボディ４０の内周面４６ｂから垂直にボディ４０の内部に突出している。各縦リブ６０は、ボディ４０の深さ方向に沿ってボディ４０の周縁部４０ｂから底部まで延びている。
【００３４】
第１挟持壁部６１は、ボディ４０の電線用孔４を通じてボディ４０の外部から内部に引き込まれた電源ケーブル５を、カバー５０の後述の第２挟持壁部５３との間で挟持する部材である。本実施形態では、第１挟持壁部６１と第２挟持壁部５３とで、電線用孔４を通った電源ケーブル５を挟持する挟持部１７が構成されている。すなわち、筐体３は、内部空間４０ｆにおいて、電線用孔４を通った電源ケーブル５を挟持する挟持部１７を有する。このように電源ケーブル５が挟持部１７で挟持されることで、筐体３の外部で電源ケーブル５が引っ張られても、その際の張力を挟持部１７で止めることができる。この結果、電源ケーブル５が引っ張られても、筐体３内の各種部品８と電源ケーブル５との接続が切れることを防止できる。以下、この効果を張力止めとも記載する。
【００３５】
第１挟持壁部６１は、ボディ４０の底壁４１において、ボディ４０の電線用孔４の裏側（すなわち前側壁４４の裏側）に設けられている。第１挟持壁部６１は、ボディ４０の底壁４１から立ち上げるように壁状に設けられている。第１挟持壁部６１の高さは、電線用孔４の開口の下端４ａと上端４ｂとの間の高さである（図１０参照）。第１挟持壁部６１は、電源ケーブル５が配索される配索経路に交差（例えば直交）するように（すなわち底壁４１の幅方向（左右方向）に延びるほうに）設けられている。
【００３６】
第１挟持壁部６１は、複数（例えば２つ）の第１壁部６１ａを有する。各第１壁部６１ａは、電源ケーブル５の配索経路と交差（例えば直交）し、かつ互いの厚さ方向に間隔を空けて、配置されている。第１挟持壁部６１が複数の第１壁部６１ａで構成されることで、第１挟持壁部６１と電源ケーブル５との間の摩擦抵抗を増やすことができる。この結果、上記の張力止めの効果を向上させることができる。また、第１挟持壁部６１から電源ケーブル５に作用する圧力を分散でき、電源ケーブル５への負担を低減できる。
【００３７】
複数（例えば４つ）のボス部６２は、カバー５０の後述のボス部５４と締結して、ボディ４０とカバー５０とを互いに固定する部分である。複数のボス部６２は、ボディ４０の底壁４１からボディ４０の内部に突出するように、ボディ４０の底壁４１に設けられている。複数のボス部６２は、底壁４１全体に分散するように設けられている。例えば、４つのボス部６２のうち、２つのボス部６２は、底壁４１の４つの区画領域１５のうちの後側の３つの区画領域１５を区画する２つの境界の中央に配置されている。残りの２つのボス部６２ａ（６２）（第１ボス部）は、第１挟持壁部６１の両端部（すなわち第１挟持壁部６１の横幅方向（左右方向）の両側の位置）に設けられており、第１挟持壁部６１の両端部と一体的に形成されている。このように２つのボス部６２ａと第１挟持壁部６１の両端部とが一体的に形成されることで、第１挟持壁部６１の強度を向上でき、上記の張力止めの効果を更に向上させることができる。なお、第１挟持壁部６１の両端部のうちの一方の端部だけにボス部６２ａが設けられてもよい。
【００３８】
複数のボス部６２の各々には、貫通孔６２ｂが設けられている。貫通孔６２ｂは、ねじＮ１が通る貫通孔である。ねじＮ１は、ボディ４０とカバー５０とを互いに固定するためのねじである。貫通孔６２ｂは、ボス部６２の中心軸方向（上下方向）に沿って設けられている。貫通孔６２ｂは、ボス部６２とボディ４０の底壁４１と貫通して、ボディ４０の内部と外部とを繋げている。
【００３９】
複数（例えば９つ）の突起部６３は、カバー５０がボディ４０の開口部４０ａを閉じたときに、コンセントブロック１３の下面を押して、ボディ４０内でのコンセントブロック１３の上下方向の位置を位置決めする部分である。各突起部６３は、底壁４１の内面から突出するように例えば筒状に設けられている。複数（９つ）の突起部６３は、底壁４１の４つの区画領域１５のうちの後側の３つの区画領域（すなわちコンセントブロック１３が配置される区画領域）１５に複数個（例えば３個）ずつ配置されている。
【００４０】
図３を参照して、縦リブ６０について説明する。図３に示すように、各縦リブ６０の上端部６０ａは、ボディ４０の周縁部４０ｂの外周縁部４０ｃと内周縁部４０ｄとの間の高さに形成されている。各縦リブ６０の上端部６０ａには、カバー５０の後述の外側壁部５１が嵌る凹部６０ｂが設けられている。凹部６０ｂの底部は、ボディ４０の内周縁部４０ｄと平坦でかつ繋がっている。これにより、カバー５０がボディ４０の開口部４０ａを閉じると、カバー５０の後述の外側壁部５１の下端が縦リブ６０の凹部６０ｂの底部に接触する。この結果、ボディ４０の深さ方向に対するカバー５０の位置が、開口部４０ａの開口面の位置に位置決めされる。さらに、カバー５０の後述の外側壁部５１が凹部６０ｂの内側側面に接触することで、開口部４０ａの開口面上でのカバー５０の位置が所定位置に位置決めされる。
【００４１】
ボディ４０の内周面４６ｂの上部Ｇ１は、ボディ４０の底壁４１に対して垂直であるが、ボディ４０の内周面４６ｂの下部Ｇ２は、ボディ４０の周壁部４６がボディ４０の内部側に傾斜するのに伴って、ボディ４０の内部側に傾斜している。すなわち、ボディ４０の内周面４６ｂの下部Ｇ２は、内周面４６ｂの下端に向かってボディ４０の内部側に傾斜している。これに伴って、縦リブ６０の上部６０ｅでは、底壁４１に対して垂直に伸びているが、縦リブ６０の下部６０ｆは、ボディ４０の内周面４６ｂの下部Ｇ２に沿ってボディ４０の内部側に傾斜している。これにより、ボディ４０の内周面４６ｂの下部Ｇ２がボディ４０の内部側に傾斜していても、縦リブ６０の下部６０ｆの幅（すなわち左右方向の幅）を一定の幅に確保でき、縦リブ６０の強度及び剛性を確保できる。
【００４２】
（カバー５０）
図２及び図３を参照して、カバー５０について説明する。
【００４３】
カバー５０は、例えばポリカーボネイト樹脂などの熱可塑性樹脂で形成されている。図２に示すように、カバー５０は、前後方向に延びた略矩形（例えば長円形）の板状である。カバー５０の外面（すなわち外側主面）が筐体３の上面３１になっている。
【００４４】
カバー５０は、ボディ４０の開口部４０ａと略同形同大（より詳細には、同形でかつ開口部４０ａよりも少し小さい大きさ）である。カバー５０の外周部５０ａは、ボディ４０の開口部４０ａの内側に嵌め合わせることが可能である（図１参照）。カバー５０の外周部５０ａがボディ４０の開口部４０ａの内側に嵌め合わされることで、カバー５０によって開口部４０ａが閉じられる。このように、カバー５０の外周部５０ａがボディ４０の開口部４０ａの内側に嵌め合わされることで、ボディ４０でカバー５０の外周部５０ａが保護される。
【００４５】
カバー５０には、複数のコンセント２と、遮断スイッチ６を露出する露出窓１８と、が設けられている。上述の通り、複数のコンセント２の各々は、一組の差込孔２１（すなわち３つの差込孔２１ａ，２１ｂ，２１ｃ）を有する。したがって、カバー５０には、複数組（例えば３組）の差込孔２１が設けられている。複数組の差込孔２１及び露出窓１８は、カバー５０の厚さ方向に貫通している。複数組の差込孔２１（すなわち複数のコンセント２）は、上述の通り、カバー５０の外面の第１領域３７に設けられ、カバー５０の長手方向に沿って並んでいる。露出窓１８は、例えば矩形状であり、カバー５０の外面の第２領域３８内の所定領域（例えば右半領域）に設けられている。
【００４６】
図４に示すように、カバー５０の裏面５０ｂには、外側壁部５１と、内側壁部５２と、第２挟持壁部５３と、複数のボス部５４と、複数の位置決め部５５と、複数の仮固定部５６と、複数の載置壁部５７と、が設けられている。
【００４７】
カバー５０の裏面５０ｂは、複数（例えば４つ）の区画領域２０を有する。複数の区画領域２０は、カバー５０の裏面５０ｂにおける長手方向に並んでいる。複数（例えば４つ）の区画領域２０のうち、前側の１つの区画領域２０には、露出窓１８が設けられており、遮断スイッチ６が配置される。後側の３つの区画領域２０は、カバー５０の３つのコンセント２に一対一に対応し、かつボディ４０の底壁４１の４つの区画領域１５のうちの後側の３つの区画領域１５とも一対一に対応する。後側の３つの区画領域２０の各々には、一組の差込孔２１（すなわち３つの差込孔２１ａ，２１ｂ，２１ｃ）が設けられており、コンセントブロック１３が配置される。
【００４８】
第２挟持壁部５３は、電源ケーブル５をボディ４０の第１挟持壁部６１との間で挟むための部材である。電源ケーブル５は、ボディ４０の電線用孔４を通ってボディ４０の外部から内部に引き込まれた電源ケーブルである。
【００４９】
なお、電源ケーブル５は、複数（例えば３つ）の電線５ａ，５ｂ，５ｃと、外装５ｄと、を有する。各電線５ａ，５ｂ，５ｃは、被覆電線である。外装５ｄは、各電線５ａ，５ｂ，５ｃを束ねて覆う部材である。電線５ａは電極部材１０Ａに電気的に接続され、電線５ｂは電極部材１０Ｂに電気的に接続され、電線５ｃは、導電部材１２に電気的に接続される。電源ケーブル５の外装５ｄの端部からは、外装５ｄの内部の各電線５ａ，５ｂ，５ｃが同じ長さ引き出されている。すなわち、各電線５ａ〜５ｃは、電源ケーブル５の外装５ｄから同じ長さ引き出された部分（引出電線部５ａ１，５ｂ１，５ｃ１）を有する。
【００５０】
第２挟持壁部５３は、カバー５０の裏面５０ｂの前端の付近（すなわち前端から一定距離後方に後退した位置）に設けられている。第２挟持壁部５３は、カバー５０の裏面５０ｂから立ち上げるように壁状に設けられている。第２挟持壁部５３は、電源ケーブル５が配索される配索経路に交差（例えば直交）するように（換言すれば、カバー５０の幅方向（左右方向）に沿って）設けられている。
【００５１】
第２挟持壁部５３は、所定の高さに形成されている。所定の高さとは、例えば、カバー５０がボディ４０の開口部４０ａを閉じたときに、第２挟持壁部５３の先端部が電線用孔４の開口の上端４ｂと下端４ａとの間に配置する、高さである。すなわち、第２挟持壁部５３の高さは、カバー５０がボディ４０の開口部４０ａを閉じたとき、第１挟持壁部６１と第２挟持壁部５３との間で、電源ケーブル５を適度な圧力で挟持可能な高さである。
【００５２】
第２挟持壁部５３は、複数（例えば２つ）の第２壁部５３ａを有する。各第２壁部５３ａは、電源ケーブル５の配索経路と交差（例えば直交）し、かつ互いの厚さ方向に間隔を空けて配置されている。第２挟持壁部５３が複数の第２壁部５３ａで構成されることで、第２挟持壁部５３と電源ケーブル５との間の摩擦抵抗を増やすことができ、この結果、上記の張力止めの効果を向上できる。また、第２挟持壁部５３から電源ケーブル５に作用する圧力を分散でき、電線への負担を低減できる。
【００５３】
第２挟持壁部５３の両端部（すなわち第２挟持壁部５３の横幅方向（左右方向）の両側の位置）には、後述のボス部５４ａ（第２ボス部）が設けられている。第２挟持壁部５３の両端部とボス部５４ａとは、一体的に形成されている。このように２つのボス部５４ａと第２挟持壁部５３の両端部とが一体的に形成されることで、第２挟持壁部５３の強度を向上でき、上記の張力止めの効果を更に向上できる。なお、第２挟持壁部５３の両端部のうちの一方の端部だけにボス部５４ａが設けられてもよい。外側壁部５１及び内側壁部５２は、カバー５０の剛性及び強度を補強する部分である。外側壁部５１及び内側壁部５２は、カバー５０の裏面５０ｂから立ち上がるように設けられている。外側壁部５１は、カバー５０の裏面５０ｂの周縁の全周（すなわち周方向の全体）に亘って設けられている。内側壁部５２は、外側壁部５１の内側において、外側壁部５１と間隔を空けて、カバー５０の周方向に沿って設けられている。
【００５４】
内側壁部５２の両端部は、第２挟持壁部５３の両端部に一体的に繋がっている。すなわち、第２挟持壁部５３は、内側壁部５２の一部として機能している。したがって、内側壁部５２は、第２挟持壁部５３を含めると、カバー５０の裏面５０ｂの周方向の全体に亘って設けられている。なお、内側壁部５２と第２挟持壁部５３は、互いに同じ高さであるが、互いに異なる高さでもよい。
【００５５】
このように、外側壁部５１及び内側壁部５２がカバー５０の周方向の全体に亘って形成されることで、カバー５０の強度及び剛性が更に向上されている。
【００５６】
内側壁部５２の高さは、外側壁部５１の高さよりも高い。これにより、外側壁部５１及び内側壁部５２がボディ４０の内周面（すなわち内側に傾斜した内周面）４６ｂに干渉すること無く、カバー５０の強度及び剛性を向上できる。なお、内側壁部５２の高さとは、カバー５０の裏面５０ｂに対する内側壁部５２の高さであり、外側壁部５１の高さとは、カバー５０の裏面５０ｂに対する内側壁部５２の高さである。
【００５７】
複数（例えば４つ）のボス部５４は、ボディ４０のボス部６２と締結して、ボディ４０とカバー５０とを互いに固定する部分である。複数のボス部５４は、カバー５０の裏面５０ｂから突出するように設けられている。複数のボス部５４は、カバー５０の裏面５０ｂ全体に分散するように設けられている。例えば、４つのボス部５４のうち、２つのボス部５４は、カバーの裏面５０ｂの４つの区画領域２０のうちの後側の３つの区画領域２０を区画する２つの境界の中央に配置されている。残りの２つのボス部５４ａ（５４）は、第２挟持壁部５３の両端部（すなわち第２挟持壁部５３の横幅方向（左右方向）の両側の位置）に設けられており、第２挟持壁部５３の両端部と一体的に形成されている。このように２つのボス部５４ａと第２挟持壁部５３の両端部とが一体的に形成されることで、第２挟持壁部５３の強度を向上でき、上記の張力止めの効果を更に向上させることができる。
【００５８】
各ボス部５４には、有底のねじ穴５４ｂが設けられている。ねじ穴５４ｂは、ねじＮ１がねじ込まれる穴である。ねじＮ１は、ボディ４０とカバー５０とを互いに固定するためのねじである。ねじ穴５４ｂは、ボス部５４の中心軸方向（上下方向）に沿って設けられている。
【００５９】
複数（例えば９つ）の位置決め部５５は、カバー５０の裏面５０ｂでのコンセントブロック１３の位置を位置決めする部分である。なお、コンセントブロック１３は、後述の受け部７０Ａ，７０Ｂ，９０を保持する部材である。
【００６０】
複数（９つ）の位置決め部５５は、カバー５０の裏面５０ｂの４つの区画領域２０のうちの後側３つの区画領域（すなわちコンセントブロック１３が配置される区画領域）２０に複数個（例えば３個）ずつ配置されている。例えば、各区画領域２０では、３つの位置決め部５５は、区画領域２０の４隅のうちの３隅の付近に１つずつ設けられている。
【００６１】
各位置決め部５５は、筒部（例えば円筒部）５５ａと、載置壁部５５ｂと、を有する。筒部５５ａは、後述のコンセントブロック１３の位置決め孔１３４に嵌る部分である。載置壁部５５ｂは、後述のコンセントブロック１３が載る部分である。載置壁部５５ｂは、筒部５５ａの外周において、筒部５５ａの径方向に沿って設けられている。各載置壁部５５ｂの高さは、筒部５５ａの下半部分と同じ高さに形成されている。
【００６２】
複数（例えば３つ）の仮固定部５６（５６ａ，５６ｂ，５６ｃ）は、電源ケーブル５又は電線５ａ，５ｃをカバー５０の裏面５０ｂに仮固定する部分である。各仮固定部５６は、カバー５０の裏面５０ｂから立ち上がるように壁状に設けられている。
【００６３】
仮固定部５６ａは、第２挟持壁部５３の後側でかつ露出窓１８の横側において、露出窓１８と間隔を空けて、カバー５０の長手方向（前後方向）に沿って設けられている。これにより、仮固定部５６ａは、第２挟持壁部５３を横切った電源ケーブル５を、第２挟持壁部５３の後側で、遮断スイッチ６との間で挟んで、カバー５０の裏面５０ｂに仮固定する。
【００６４】
仮固定部５６ｂは、露出窓１８の４つの角部のうちの１つの角部（後左側の角部）に沿って、露出窓１８と間隔を空けて設けられている。これにより、仮固定部５６ｂは、電線５ａを、遮断スイッチ６の角部との間で挟んで、カバー５０の裏面５０ｂに仮固定する。
【００６５】
仮固定部５６ｃは、電線５ａ〜５ｃのうち、アース用の導電部材１２に接続される電線５ｃを、遠回りさせて導電部材１２まで配索させることで、他の電線５ａ，５ｂよりも弛みが少なくなるようにして、カバー５０の裏面５０ｂに仮固定する。仮固定部５６ｃは、例えば、仮固定部５６ａに交差する方向（左右方向）の一側（例えば左側）にずれた位置に設けられている。
【００６６】
これにより、電源ケーブル５が引っ張られたときに、そのときの張力で、電源ケーブル５内の複数の電線５ａ〜５ｃのうち、アース用の電線５ｃが最初に引っ張られるようにできる。これにより、上記の張力で、他の電線５ａ，５ｂが最初に切れることを防止できる。また、各電線５ａ〜５ｃの引出電線部（電源ケーブル５から引き出された部分）の長さを同じにして、各電線５ａ〜５ｃの引出電線部の仮固定部５６による弛ませ方で、各電線５ａ〜５ｃの切れる順番を設定できる。
【００６７】
複数の載置壁部５７は、コンセントブロック１３が載る部分である。各載置壁部５７は、カバー５０の裏面５０ｂから立ち上がるように壁状に設けられている。各載置壁部５７は、カバー５０の裏面５０ｂにおけるコンセントブロック１３と重なる適宜位置に設けられている。
【００６８】
（電極部材１０Ａ，１０Ｂ）
次に図４〜図６を参照して、一対の電極部材１０Ａ，１０Ｂについて説明する。
【００６９】
図４〜図６に示すように、一対の電極部材１０Ａ，１０Ｂの各々は、差込プラグ２００の一対の電極２０２ａ，２０２ｂの各々と一対一に対応する。そして、一対の電極部材１０Ａ，１０Ｂの各々は、コンセント２に差し込まれた差込プラグ２００の一対の電極２０２ａ，２０２ｂのうちの対応する電極と電気的に接続される。各電極部材１０Ａ，１０Ｂは、導電性を有する部材（例えば金属、より詳細には、例えば銅合金）で形成されている。
【００７０】
一対の電極部材１０Ａ，１０Ｂは、複数対（例えば３対）の受け部７０と、一対のリード部８０Ａ，８０Ｂと、を有する。複数対の受け部７０の各対内の２つの受け部７０Ａ，７０Ｂ（第１受け部）は、一対の電極部材１０Ａ，１０Ｂに一対一に対応する。以下、対内の２つの受け部７０Ａ，７０Ｂを一対の受け部７０Ａ，７０Ｂとも記載する。一対のリード部８０Ａ，８０Ｂ（第１リード部）も、一対の電極部材１０Ａ，１０Ｂに一対一に対応する。したがって、各対内の２つの受け部７０Ａ，７０Ｂは、一対のリード部８０Ａ，８０Ｂに一対一に対応する。
【００７１】
電極部材１０Ａは、対応する複数の受け部７０Ａと、対応するリード部８０Ａとを有する。電極部材１０Ｂは、対応する複数の受け部７０Ｂと、対応するリード部８０Ｂとを有する。なお、一対の受け部７０Ａ，７０Ｂは、コンセント２毎に設けられている。
【００７２】
電極部材１０Ａにおいて、対応する複数の受け部７０Ａと、対応するリード部８０Ａとは、別部材で形成されている。同様に、電極部材１０Ｂにおいて、対応する複数の受け部７０Ｂと、対応するリード部８０Ｂとは、別部材で形成されている。対応する複数の受け部７０Ａ，７０Ｂと、対応するリード部８０Ａ，８０Ｂとは、周知の結合方法（例えばダボカシメ）で結合されている。
【００７３】
複数対（３対）の受け部７０は、複数（３つ）のコンセント２に一対一に対応し、対応するコンセント２に差し込まれた差込プラグ２００の一対の電極２０２ａ，２０２ｂと電気的に接続される部材である。一対の受け部７０Ａ，７０Ｂは、差込プラグ２００の一対の電極２０２ａ，２０２ｂに一対一に対応し、差込プラグ２００の一対の電極２０２ａ，２０２ｂのうちの対応する電極と電気的に接続する。複数対（３対）の受け部７０は、カバー５０の裏面５０ｂの４つの区画領域２０のうちの後側の３つの区画領域２０にも一対一に対応し、対応する区画領域２０に配置される。
【００７４】
一対の受け部７０Ａ，７０Ｂは、前後方向に互いに間隔を空けて配置されている。すなわち、一対の受け部７０Ａ，７０Ｂが並ぶ方向は、３つのコンセント２が並ぶ方向（前後方向）と一致する。換言すれば、一対の受け部７０Ａ，７０Ｂが並ぶ方向と、３つのコンセント２が並ぶ方向とは、一方向である。
【００７５】
各受け部７０Ａ，７０Ｂは、互いに同形同大に形成されている。換言すれば、各受け部７０Ａ，７０Ｂは、互いに共通の部品として形成されている。したがって、同じ対内の受け部７０Ａと受け部７０Ｂは、勿論のこと、互いに異なる対に含まれる受け部７０Ａと受け部７０Ｂも、互いに同形同大に形成されている。
【００７６】
一対のリード部８０Ａ，８０Ｂの各々は、複数対の受け部７０のうちの対応する受け部７０Ａ，７０Ｂと連結される。また、一対のリード部８０Ａ，８０Ｂの各々には、対応する電線５ａ，５ｂが電気的に接続される。一対のリード部８０Ａ，８０Ｂの各々は、互いに同形同大に形成されている。すなわち、一対のリード部８０Ａ，８０Ｂの各々は、互いに共通の部品として形成されている。一対のリード部８０Ａ，８０Ｂの各々の前端部には、電線５ａ，５ｅが接続される貫通孔８０Ａａ，８０Ｂａが設けられている。電線５ｅは、遮断スイッチ６を介して電線５ｂと電気的に接続される電線である。
【００７７】
図６に示すように、各リード部８０Ａ，８０Ｂは、対応する複数の受け部７０Ａ，７０Ｂが結合される複数の結合領域８０Ａｂ，８０Ｂｂを有する。複数の結合領域８０Ａｂ，８０Ｂｂは、各リード部８０Ａ，８０Ｂにおいて長手方向に互いに間隔を空けて形成されている。上記の通り、各リード部８０Ａ，８０Ｂは互いに同形同大に形成されているため、各リード部８０Ａ，８０Ｂにおける各結合領域８０Ａｂ，８０Ｂｂの配置も、互いに同じ配置である。
【００７８】
図５に示すように、各リード部８０Ａ，８０Ｂは、カバー５０の裏面５０ｂに配置される。この配置状態では、各リード部８０Ａ，８０Ｂは、カバー５０の長手方向（前後方向）に沿って配置されている。また、各リード部８０Ａ，８０Ｂは、カバー５０の左右方向に互いに間隔を空けて配置されている。また、各リード部８０Ａ，８０Ｂは、互いの配置が長手方向にずれて配置されている。例えば、リード部８０Ｂは、リード部８０Ａよりも前方にずれて配置されている。また、各リード部８０Ａ，８０Ｂの形状の向きは、互いに同じ向きに揃えられている。なお、各リード部８０Ａ，８０Ｂの形状の向きとは、例えば、各リード部８０Ａ，８０Ｂが延びる方向、及び、各リード部８０Ａ，８０Ｂの裏表などである。
【００７９】
また、各リード部８０Ａ，８０Ｂは、カバー５０の裏面５０ｂにおいて、左右方向の一方側（例えば右側）に偏って配置されている。これにより、カバー５０の裏面５０ｂにおいて、左右方向の他方側（例えば左側）に、アース用の導電部材１２を配置するスペースが確保される。
【００８０】
一方のリード部８０Ａには、複数の受け部７０Ａが結合され、他方のリード部８０Ｂには、複数の受け部７０Ｂが結合されている。一方のリード部８０Ａでは、受け部７０Ａは、リード部８０Ａの結合領域８０Ａｂに結合されるため、リード部８０Ａの長手方向に互いに間隔を空けて配置されている。また、一方のリード部８０Ａでは、各受け部７０Ａは、他方のリード部８０Ｂ側に突出しかつ両方のリード部８０Ａ，８０Ｂよりも上側に突出するように、配置されている。同様に、他方のリード部８０Ｂでは、各受け部７０Ｂは、リード部８０Ｂの長手方向に互いに間隔を空けて配置されている。また、他方のリード部８０Ｂでは、各受け部７０Ｂは、一方のリード部８０Ａ側に突出しかつ両方のリード部８０Ａ，８０Ｂよりも上側に突出すように、配置されている。
【００８１】
そして、複数対の受け部７０は、一対のリード部８０Ａ，８０Ｂの長手方向に互いに間隔を空けて配置されている。一対の受け部７０Ａ，７０Ｂの各々も、一対のリード部８０Ａ，８０Ｂの長手方向に互いに間隔を空けて配置されている。また、複数対の受け部７０は、一対のリード部８０Ａ，８０Ｂの各々の間で、かつ一対のリード部８０Ａ，８０Ｂの上側に突出して配置されている。そして、各対の受け部７０は、カバー５０の裏面５０ｂにおいて、対応する区画領域２０の裏側に配置されている。また、各対内の２つの受け部７０Ａ，７０Ｂは、対応する区画領域２０に設けられた一対の差込孔２１ａ，２１ｂの各々の裏側（下側）に配置されている。
【００８２】
図６を参照して、各リード部８０Ａ，８０Ｂの形状、及び各受け部７０Ａ，７０Ｂの形状について説明する。
【００８３】
図６に示すように、各リード部８０Ａ，８０Ｂは、例えば、前後方向に延びた帯板状に形成されている。各リード部８０Ａ，８０Ｂの厚さ方向は、上下方向（すなわち差込プラグ２００の差抜方向）に一致する。すなわち、各リード部８０Ａ，８０Ｂの両側の主面は、前後左右方向に広がっている。
【００８４】
各リード部８０Ａ，８０Ｂには、複数の凹部８１が設けられている。各凹部８１は、各リード部８０Ａ，８０Ｂにおいて、各対内の２つ受け部７０Ａ，７０Ｂのうち、連結していない方の受け部と隣り合う部分に設けられている。この凹部８１により、リード部８０Ａと、このリード部８０Ａに連結していない受け部７０Ｂとの間の絶縁距離を一層確保できる。同様に、この凹部８１により、リード部８０Ｂと、このリード部８０Ｂに連結していない受け部７０Ａとの間の絶縁距離を一層確保できる。
【００８５】
より詳細には、各凹部８１は、リード部８０Ａの長手方向に沿って、リード部８０Ａの左右両側の側面に交互に設けられている。すなわち、リード部８０Ａの左側面には、複数の凹部８１が、リード部８０Ａの長手方向に沿って互いに間隔を空けて設けられている。また、リード部８０Ａの右側面には、複数の凹部８１が、リード部８０Ａの長手方向に沿って互いに間隔を空け、かつ、リード部８０Ａの左側面の凹部８１間の間隔に隣り合うように、設けられている。リード部８０Ｂの各凹部８１についても同様である。
【００８６】
リード部８０Ａの上面には、複数の結合領域８２が形成されている。各結合領域８２は、リード部８０Ａの上面における長手方向に間隔を空けて形成されている。より詳細には、各結合領域８２は、リード部８０Ａの上面において、各凹部８１に重ならないように、互いに一定間隔空けて形成されている。本実施形態では、各結合領域８２は、リード部８０Ａの前後方向に沿ってリード部８０Ａの左右両側に交互に並ぶ凹部８１に対して２つ置きに、左右両側に交互に並ぶ凹部８１の間に形成されている。リード部８０Ｂの各結合領域８２についても同様である。
【００８７】
一方のリード部８０Ａの各結合領域８２に結合された受け部７０Ａは、他方のリード部８０Ｂ側に突出し、かつ両方のリード部８０Ａ，８０Ｂの上面よりも上側に配置されている。一方のリード部８０Ａの各結合領域８２は、他方のリード部８０Ｂに設けられた複数の凹部８１のうちの一の凹部８１に正面に配置されている。したがって、一方のリード部８０Ａの各結合領域８２に結合された受け部７０Ａは、他方のリード部８０Ｂに設けられた複数の凹部８１のうちの一の凹部８１の正面の付近に配置されている。このように、リード部８０Ａ，８０Ｂに設けられた凹部８１によって、リード部８０Ａ，８０Ｂと、そのリード部８０Ａ，８０Ｂに連結していない受け部７０Ｂ，７０Ａとの間の絶縁距離が一層確保される。
【００８８】
リード部８０Ａの各結合領域８２には、２つの突起部８２ａが設けられている。２つの突起部８２ａは、結合領域８２に結合される受け部７０Ａの後述の結合部７４の２つの結合孔７４ａに嵌る。２つの突起部８２ａが２つの結合孔７４ａに嵌った状態で、２つの突起部８２ａが潰されることで、結合部７４と結合領域８２とが結合される。すなわち、受け部７０Ａとリード部８０Ａとが結合される。同様に、リード部８０Ｂの各結合領域８２にも、２つの突起部８２ａが設けられている。
【００８９】
各リード部８０Ａ，８０Ｂには、補強リブ８３が設けられている。補強リブ８３は、各リード部８０Ａ，８０Ｂの両側の主面のうちの一方の主面（例えば上面）から突出し、かつ、各リード部８０Ａ，８０Ｂの長手方向に沿って形成されている。補強リブ８３は、各リード部８０Ａ，８０Ｂの各結合領域８２には、形成されていない。補強リブ８３は、例えば、各リード部８０Ａ，８０Ｂの両側の主面のうちの他方の主面（例えば下面）から一方の主面（例えば上面）の側に押し出されることで（例えばプレス加工で）、設けられる。
【００９０】
各リード部８０Ａ，８０Ｂの前端部には、電線５ａ，５ｅが電気的に接続される接続孔８４が設けられている。各リード部８０Ａ，８０Ｂの前端部は、段差状に上がっている。このように各リード部８０Ａ，８０Ｂの前端部が段差状に上げられることで、各リード部８０Ａ，８０Ｂの前端部は、電線５ａ，５ｅを接続するのに適した高さに形成されている。
【００９１】
図６及び図７に示すように、各受け部７０Ａ，７０Ｂは、複数（例えば３つ）の弾性片部７１と、複数の弾性片部７１を支持する支持部７２と、連結部７３と、結合部７４とを有する。
【００９２】
各受け部７０Ａ，７０Ｂは、例えば３つの弾性片部７１で、差込プラグ２００の対応する電極２０２ａ，２０２ｂを挟むことで、対応する電極２０２ａ，２０２ｂと電気的に接続する。３つの弾性片部７１のうち、例えば左右両側の２つの弾性片部７１ａは、例えば、互いの主面を向かい合わせ、かつ互いに間隔を空けて、配置されている。３つの弾性片部７１のうち、残り１つ弾性片部７１ｂは、例えば、その主面を２つの弾性片部７１ａの側辺に向い合わせ、かつ２つの弾性片部７１ａと間隔を空けて、配置されている。
【００９３】
各受け部７０Ａ，７０Ｂは、３つの弾性片部７１の先端（上部）が、カバー５０側（すなわち上側）に向くように、配置されている。このように３つの弾性片部７１が形成されることで、２つの弾性片部７１ａの間、又は２つの弾性片部７１ａと残り１つの弾性片部７１ｂとの間に、対応する電極２０２ａ，２０２ｂを弾性的に挟み込むことができる。各受け部７０Ａ，７０Ｂは、例えば、受け部７０Ａ，７０Ｂの展開図を形取った金属板を曲げ加工することで、一体的に形成可能である。
【００９４】
支持部７２は、例えば、４方のうち３方を囲み残り一方を開放した略Ｕ字の周壁状に形成されている。支持部７２は、略Ｕ字の先端辺（上辺）における長手方向の３カ所で３つの弾性片部７１の基端と一体的に連結している。
【００９５】
連結部７３は、支持部７２と結合部７４とを連結する部分である。連結部７３は、支持部７２の略Ｕ字の基端辺（下辺）のうち、対応するリード部８０Ａ，８０Ｂに隣り合う部分から下方に延びて、対応するリード部８０Ａ，８０Ｂの側に屈曲して、結合部７４に連結している。すなわち、連結部７３は、リード部８０Ａ，８０Ｂの長手方向（前後方向）から見ると、略Ｌ字形に屈曲して形成されている。
【００９６】
結合部７４は、各リード部８０Ａ，８０Ｂの結合領域８２と結合する部分である。各受け部７０Ａ，７０Ｂの結合部７４は、各リード部８０Ａ、８０Ｂのうちの対応するリード部の結合領域８２と結合する。結合部７４は、リード部８０Ａ，８０Ｂの各結合領域８２と略同形同大の板状に形成されている。結合部７４には、複数（例えば２つ）の結合孔７４ａ（図６参照）が設けられている。結合部７４の複数の結合孔７４ａは、リード部８０Ａ，８０Ｂの結合領域８２の複数の突起部８２ａが嵌められる孔である。結合孔７４ａに突起部８２ａが嵌った状態で突起部８２ａが潰されることで、結合部７４と結合領域８２とが結合される。すなわち、受け部７０Ａ，７０Ｂとリード部８０Ａ，８０Ｂとが結合される。
【００９７】
図７に示すように、上述のように、各受け部７０Ａ，７０Ｂの連結部７３が略Ｌ字形に形成されることで、各受け部７０Ａ，７０Ｂを各リード部８０Ａ，８０Ｂの上面８０ａよりも上側に間隔Ｋ１空けて配置させることができる。これにより、各受け部７０Ａ，７０Ｂを、各受け部７０Ａ，７０Ｂと結合されないリード部８０Ｂ，８０Ａの上面８０ａよりも上側に間隔Ｋ１空けて配置させることができる。この結果、間隔Ｋ１によって、各リード部８０Ａ，８０Ｂと、各リード部８０Ａ，８０Ｂに結合されない受け部７０Ｂ，７０Ａとの間の絶縁距離を一層確保できる。間隔Ｋ１は、各リード部８０Ａ，８０Ｂと、各リード部８０Ａ，８０Ｂに結合されない受け部７０Ｂ，７０Ａとの間の上下方向（差込プラグ２００の差抜方向）に空けられた間隔である。
【００９８】
（アース用の導電部材１２）
次に図８を参照してアース用の導電部材１２について説明する。
【００９９】
導電部材１２は、コンセント２に差し込まれた差込プラグ２００の接地端子２０２ｃと電気的に接続される部材である。導電部材１２は、導電性を有する部材（例えば金属、より詳細には例えば黄銅）で形成されている。
【０１００】
導電部材１２は、複数の受け部９０と、リード部９１と、複数の連結部９２と、１つ以上の接続部９３と、を有する。導電部材１２は、一体的に形成されている。導電部材１２は、例えば、導電部材１２の展開図を形取った金属板を曲げ加工することで、一体的に形成可能である。
【０１０１】
複数（例えば３つ）の受け部９０は、複数（３つ）のコンセント２に一対一に対応し、対応するコンセント２に差し込まれた差込プラグ２００の接地端子２０２ｃと電気的に接続される部材である。複数の受け部９０は、カバー５０の裏面５０ｂの４つの区画領域２０のうちの後側の３つの区画領域２０に一対一に対応する。
【０１０２】
各受け部９０は、複数（例えば２つ）の弾性片部９０ａを有する。各受け部９０は、２つの弾性片部９０ａで差込プラグ２００の接地端子２０２ｃを挟むことで、接地端子２０２ｃと電気的に接続する。２つの弾性片部９０ａは、互いの主面を向かい合わせ、かつ互いに間隔を空けて、配置されている。２つの弾性片部９０ａの基端（下端）は、互いの対向方向に曲げられて互いに連結されている。各受け部９０は、２つの弾性片部９０ａの先端（上部）が、接地端子２０２ｃが差し込まれる側（上側）に向くように配置されている。
【０１０３】
リード部９１は、複数の受け部９０を支持し、かつ電線５ｃが電気的に接続される部分である。リード部９１は、例えば前後方向に延びた帯板状に形成されている。導電部材１２の厚さ方向は、左右方向に一致する。すなわち、導電部材１２の両側の主面は、前後上下方向に広がっている。複数の連結部９２は、複数の受け部９０とリード部９１とを連結する部分であり、複数の受け部９０と一対一に対応する。
【０１０４】
複数の受け部９０は、リード部９１における長手方向に互いに間隔を空けて、対応する連結部９２を介して連結されている。各受け部９０は、リード部９１の左右両側のうちの一方側（例えば右側）に配置されている。各連結部９２は、リード部９１の下辺部からリード部９１の下方に延びて受け部９０側に屈曲して、受け部９０の下端に連結されている。
【０１０５】
１つ以上（例えば３つ）の接続部９３は、電線５ｃが電気的に接続される部分である。各接続部９３には、電線３ｃが接続される接続孔９３ａが設けられている。各接続部９３は、リード部９１における長手方向に沿って互いに間隔を空けて設けられている。各接続部９３は、例えば、片状に形成され、リード部９１の下辺部から、リード部９１の左右両側のうちの一方側（例えば右側）に突出されている。本実施形態では、３つの接続部９３のうち、例えば、一番前端の接続部９３に電線５ｃが電気的に接続される。
【０１０６】
図５に示すように、導電部材１２は、カバー５０の裏面５０ｂに配置される。導電部材１２は、電極部材１０Ｂの隣（すなわち電極部材１０Ａとは反対側の隣）に電極部材１０Ｂと間隔を空けて配置される。したがって、電極部材１０Ａ、電極部材１０Ｂ及び導電部材１２は、前後方向に延びかつ左右方向に互いに間隔を空けて、配置される。
【０１０７】
この配置状態では、導電部材１２のリード部９１は、カバー５０の長手方向（前後方向）に沿って配置される。リード部９１は、カバー５０の裏面５０ｂにおいて、例えば、２つの電極部材１０Ａ、１０Ｂの左側のスペースに配置される。導電部材１２の各受け部９０は、カバー５０の裏面５０ｂにおいて、対応する区画領域２０に配置される。各受け部９０は、対応する区画領域２０の差込孔２１ｃの裏側（下側）に配置される。差込孔２１ｃは、差込プラグ２００の接地端子２０２ｃが差し込まれる孔である。
【０１０８】
（コンセントブロック１３）
次に図９Ａ、図９Ｂ及び図５を参照してコンセントブロック１３について説明する。
【０１０９】
図９Ａ及び図９Ｂに示すように、複数（例えば３つ）のコンセントブロック１３は、複数（例えば３つ）のコンセント２に一対一に対応し、対応するコンセント２に対応する一対の受け部７０（７０Ａ，７０Ｂ）、及び受け部９０を保持する部分である。換言すれば、複数のコンセントブロック１３の各々は、複数のコンセント２の各々毎に設けられている。複数のコンセントブロック１３は、カバー５０の裏面５０ｂの４つの区画領域２０のうちの後側の３つの区画領域２０に一対一に対応し、対応する区画領域２０に配置される（図５参照）。
【０１１０】
各コンセントブロック１３は、互いに同形同大に形成されている。すなわち、各コンセントブロック１３は、互いに共通の部品として形成されている。各コンセントブロック１３は、例えば、略直方体形に形成されている。各コンセントブロック１３は、例えば、ユリヤ樹脂などの熱硬化性樹脂で形成されている。
【０１１１】
各コンセントブロック１３には、３つの収容部１００ａ，１００ｂ，１００ｃが設けられている。３つの収容部１００ａ〜１００ｃのうち、一対の収容部１００ａ，１００ｂは、一対の受け部７０Ａ，７０Ｂの各々を収容する。残り１つの収容部１００ｃは、受け部９０を収容する。
【０１１２】
各収容部１００ａ，１００ｂは、例えば略直方体形の空洞状に形成されており、コンセントブロック１３の上下方向に貫通し、コンセントブロック１３の上面と下面との各々に開口部を有する。各収容部１００ａ，１００ｂは、コンセントブロック１３において、前後方向に互いに間隔を空けて設けられている。
【０１１３】
収容部１００ａの内周面には、複数（例えば３つ）の引掛部１０１が設けられている。各引掛部１０１は、収容部１００ａの内周面において、収容部１００ａの下側開口部の側の周縁部に設けられている。各引掛部１０１は、収容部１００ａの内部に向けて突出している。各引掛部１０１は、収容部１００ａに収容された受け部７０Ａが収容部１００ａから抜けることを防止する。同様に、収容部１００ｂの内周面にも、複数（例えば３つ）の引掛部１０１が設けられている。
【０１１４】
収容部１００ｃは、例えば略直方体状に形成されており、コンセントブロック１３の上面（すなわちカバー５０の側の面）において、下面に向かって凹状に形成されている。収容部１００ｃの内周面には、複数の突起部１０３が設けられている。複数（例えば２つ）の突起部１０３は、収容部１００ｃに受け部９０が収容されたときに、受け部９０の各弾性片部９０ａの側面の基端（下端）に接触することで、各弾性片部９０ａと収容部１００ｃの内周面との間の間隔を確保するための突起部である。これにより、収容部１００ｃに受け部９０が収容されたときに、受け部９０の各弾性片部９０ａの上部が、収容部１００ｃの内周面に接触しなくなって、弾性的に可動可能になる。各突起部１０３は、後述の切欠部１３２の両側でかつ収容部１００ｃの底面（下面）側に設けられている。
【０１１５】
コンセントブロック１３の左側面（外側面）には、切欠部１３２と、複数の突起部１３３と、が設けられている。切欠部１３２は、収容部１００ｃに受け部９０が収容されたときに、受け部９０に連結する連結部９２が配置する部分である。切欠部１３２は、上下方向に延びた帯状であり、収容部１００ｃの上側開口部の周縁部（開口縁部）で開放している。複数の突起部１３３は、コンセントブロック１３の左側面にリード部９１が配置されたときに、リード部９１に引っ掛かることで、リード部９１を位置決めする部分である。各突起部１３３は、コンセントブロック１３の左側面において、切欠部１３２の両側に設けられている。また、各突起部１３３は、コンセントブロック１３の左側面において、上下方向の中間位置に設けられている。
【０１１６】
コンセントブロック１３には、複数（例えば３つ）の位置決め孔１３４が設けられている。複数の位置決め孔１３４は、カバー５０の裏面５０ｂの対応する区画領域２０に設けられた複数の位置決め部５５が嵌る孔である。複数の位置決め孔１３４は、コンセントブロック１３の外周の適宜位置に設けられている。本実施形態では、コンセントブロック１３の下面の２つの角部（例えば左前角部と左後角部）が段差状に低く形成されており、その２つの角部に１つずつ、位置決め孔１３４が設けられている。また、コンセントブロック１３の上面の前辺右端から前方に突出するようにフランジ部１３５が形成され、そのフランジ部１３５に位置決め孔１３４が１つ設けられている。
【０１１７】
図５に示すように、このように形成されたコンセントブロック１３に一対の受け部７０及び受け部９０は、下記のように収容（保持）される。
【０１１８】
一対の受け部７０Ａ，７０Ｂの各々は、コンセントブロック１３の下面から各収容部１００ａ，１００ｂに収容される。この収容状態では、各収容部１００ａ，１００ｂの引掛部１０１が各受け部７０Ａ，７０Ｂの基端（下端）に引っ掛かる。これにより、各受け部７０Ａ，７０Ｂが各収容部１００ａ，１００ｂの下側開口部から抜けることが防止される。また、各受け部７０Ａ，７０Ｂに結合されたリード部８０Ａ，８０Ｂがコンセントブロック１３の下面に当接する。これにより、各受け部７０Ａ，７０Ｂが各収容部１００ａ，１００ｂの上側開口部から抜けることが防止される。これにより、各受け部７０Ａ，７０Ｂが収容部１００ａ，１００ｂ内に固定され、各リード部８０Ａ，８０Ｂがコンセントブロック１３の下面に固定される。この結果、一対の電極部材１０Ａ，１０Ｂが各コンセントブロック１３の上面に固定される。
【０１１９】
受け部９０は、コンセントブロック１３の上面から収容部１００ｃに収容される（図２参照）。この収容状態では、受け部９０に連結された連結部９２は、切欠部１３２に配置されて切欠部１３２の底（下端）に接触する（図５参照）。また、連結部９２に連結されたリード部９１は、コンセントブロック１３の左側面において、突起部１３３を横切って突起部１３３の下側に配置される。これにより、リード部９１は、突起部１３３によって上側への移動が規制される。また、リード部９１は、連結部９２が切欠部１３２の底に当接することで下方への移動が規制される。すなわち、リード部９１は、コンセントブロック１３の左側面に位置決めされて配置される。また、受け部９０とリード部９１とで、コンセントブロック１３の左側面と収容部１０ｃの内周面とを構成する壁部１３６が挟まれる。これにより、受け部９０が収容部１００ｃに固定され、リード部９１がコンセントブロック１３の左側面に固定される。この結果、アース用の導電部材１２が各コンセントブロック１３の左側面に固定される。
【０１２０】
また、このように形成された各コンセントブロック１３は、カバー５０の裏面５０ｂの対応する区画領域２０に配置される。この配置状態では、各コンセントブロック１３は、対応する区画領域２０に設けられた載置壁部５７に乗せられる。また、各コンセントブロック１３の各位置決め孔１３４に、対応する区画領域２０に設けられた各位置決め部５５が嵌る。これにより、カバー５０の裏面５０ｂでの各コンセントブロック１３の位置が位置決めされる。
【０１２１】
（遮断スイッチ６）
次に図２及び図４を参照して遮断スイッチ６について説明する。
【０１２２】
遮断スイッチ６は、電極部材１０Ｂに電気的に接続される電線５ｂを導通又は遮断する。本実施形態では、電極部材１０Ｂと電線５ｂとの間には、電線５ｅが接続されており、遮断スイッチ６は、各電線５ｅ，５ｅの間に接続されている。遮断スイッチ６は、各電線５ｂ，５ｅの間を導通又は遮断することで、電極部材１０Ｂに電気的に接続される電線５ｂを導通又は遮断する。
【０１２３】
なお、本実施形態では、遮断スイッチ６は、電極部材１０Ｂに電気的に接続される電線５ｂを導通又は遮断するが、電極部材１０Ａに電気的に接続される電線５ａを導通又は遮断してもよい。
【０１２４】
遮断スイッチ６は、電極部材１０Ｂと、電極部材１０Ｂに電気的に接続される電線５ｂとの間に接続されて、電極部材１０Ｂと電線５ｂとの間を導通又は遮断する。本実施形態では、遮断スイッチ６は、電極部材１０Ｂと電線５ｂとの間を導通又は遮断するが、電極部材１０Ａと、電極部材１０Ａに電気的に接続される電線５ａとの間に接続されて、電極部材１０Ａと電線５ａとの間を導通又は遮断してもよい。
【０１２５】
遮断スイッチ６は、スイッチケース６ａと、スイッチ本体６ｂと、を有する。
【０１２６】
スイッチ本体６ｂは、電線５ｂ，５ｅの間に接続され、手動でオン又はオフに切り替えられることで、各電線５ｂ，５ｅの間を遮断又は導通する。また、スイッチ本体６ｂは、電線５ｂに所定の電流値以上の電流（すなわち過電流）が流れると、自動的にオンからオフに切り替わって、各電線５ｂ，５ｅの間を遮断又は導通する（過電流防止機能）。スイッチ本体６ｂは、各電線５ｂ，５ｅが接続される２つの接続端子６ｃ，６ｄを有する。
【０１２７】
スイッチケース６ａは、例えば略直方体形の箱状に形成されている。スイッチケース６ａの上面は、カバー５０の露出窓１８よりも一回り大きい形状（例えば略矩形）に形成されている。スイッチケース６ａの上面には、スイッチ本体６ｂが配置され（図２参照）、スイッチケース６ａの下面には、２つの接続端子６ｃ，６ｄが突出状に設けられている（図４参照）。
【０１２８】
このように構成された遮断スイッチ６は、スイッチケース６ａの上面をカバー５０の露出窓１８に重ねるようにして、カバー５０の裏面５０ｂに配置される。この配置状態で、スイッチ本体６ｂが露出窓１８から露出されている（図１参照）。
【０１２９】
（組立手順）
次にテーブルタップ１の組立手順（組立方法）を説明する。
【０１３０】
このテーブルタップ１では、各種部品８がカバー５０の裏面５０ｂに配置された後に、カバー５０がボディ４０の開口部４０ａに取り付けられる。まず図４及び図５を参照して、カバー５０側の組立手順（すなわちカバー５０に各種部品８を配置する手順）を説明する。
【０１３１】
まず、遮断スイッチ６が、カバー５０の裏面５０ｂにおいて、露出窓１８に重なるように配置される。次に、アース用の導電部材１２が、カバー５０の裏面５０ｂに配置される。この配置状態では、導電部材１２のリード部９１は、カバー５０の裏面５０ｂの左側において、カバー５０の前後方向に延びて配置されている。導電部材１２の各受け部９０は、カバー５０の裏面５０ｂの対応する区画領域２０の差込孔２１ｃの下側に配置される。
【０１３２】
次に、複数のコンセントブロック１３が、カバー５０の裏面５０ｂの対応する区画領域２０に配置される。その際、各コンセントブロック１３は、導電部材１２の対応する受け部９０をコンセントブロック１３の上面側（すなわちカバー５０側）から収容する。これにより、上述のように、対応する受け部９０がコンセントブロック１３の収容部１００ｃ内に収容される。また、受け部９０に連結した連結部９２がコンセントブロック１３の切欠部１３２の底に配置される。また、導電部材１２のリード部９１（すなわち連結部９２に連結したリード部９１）がコンセントブロック１３の左側面に固定される。この結果、各コンセントブロック１３の左側面に導電部材１２が固定される。
【０１３３】
また、各コンセントブロック１３の各位置決め孔１３４に、対応する区画領域２０の各位置決め部５５が嵌まる。これにより、各コンセントブロック１３が、対応する区画領域２０の所定位置に位置決めされる。
【０１３４】
次に、一対の電極部材１０Ａ，１０Ｂが、カバー５０の裏面５０ｂに配置される。その際、電極部材１０Ａの各受け部７０Ａが、対応する区画領域２０に配置されたコンセントブロック１３の収容部１００ａにコンセントブロック１３の下面側から収容される。同様に、電極部材１０Ｂの各受け部７０Ｂが、対応する区画領域２０に配置されたコンセントブロック１３の収容部１００ｂにコンセントブロック１３の下面側から収容される。これにより、上述のように、各対内の２つの受け部７０Ａ，７０Ｂが、対応するコンセントブロック１３の各収容部１００ａ，１００ｂに収容される。また、各電極部材１０Ａ，１０Ｂのリード部８０Ａ，８０Ｂが各コンセントブロック１３の下面に固定される。この結果、各コンセントブロック１３の上面に各電極部材１０Ａ，１０Ｂが固定される。
【０１３５】
次に、電源ケーブル５がボディ４０の電線用孔４に通される。電線用孔４を通された電源ケーブル５は、仮固定部５６ａと遮断スイッチ６との間に挟み込まれることで、カバー５０の裏面５０ｂに仮固定される。電源ケーブル５の外装５ｄの端部からは、各電線５ａ，５ｂ，５ｃが同じ長さ引き出されている。各電線５ａ，５ｂ，５ｃのこの引き出された部分を引出電線部５ａ１，５ｂ１，５ｃ１と記載する。各電線５ａ，５ｂ，５ｃの引出電線部５ａ１，５ｂ１，５ｃ１は同じ長さである。
【０１３６】
そして、各電線５ａ，５ｂ，５ｃの引出電線部５ａ１，５ｂ１，５ｃ１が、対応する電極部材１０Ａ，１０Ｂ又は導電部材１２に電気的に接続される。すなわち、引出電線部５ａ１は、電極部材１０Ａのリード部８０Ａの接続孔８４に通されて電気的に接続される。引出電線部５ｂ１は、遮断スイッチ６の接続端子６ｃの接続孔に通されて電気的に接続される。また、遮断スイッチ６の接続端子６ｄと電極部材１０Ｂのリード部８０Ｂとが、電線５ｅで互いに電気的に接続される。よって、引出電線部５ｂ１は、遮断スイッチ６及び電線５ｅを介して、リード部８０Ｂに電気的に接続される。引出電線部５ｃ１は、アース用の導電部材１２のリード部９１の接続孔９３ａに通されて電気的に接続される。
【０１３７】
そして、電極部材１０Ａに接続される引出電線部５ａ１は、仮固定部５６ｂと遮断スイッチ６の角部との間に挟み込まれることで、カバー５０の裏面５０ｂに仮固定される。導電部材１２に接続される引出電線部５ｃ１は、仮固定部５６ｃの外側を回るように配索されることで、カバー５０の裏面５０ｂに仮固定される。このように、各電線５ａ，５ｃがカバー５０の裏面５０ｂに仮固定されることで、カバー５０をボディ４０の開口部４０ａに取り付けるときに、電線５ａ，５ｃがカバー５０とボディ４０との間に挟み込まれることを防止できる。
【０１３８】
上記の仮固定の状態では、３つの引出電線部５ａ１，５ｂ１，５ｃ１のうち、アース用の電線５ｃの引出電線部５ｃ１が、他の電線５ａ，５ｂの引出電線部５ａ１，５ｃ１よりも弛みが少なくなっている。こうなるように、アース用の電線５ｃの引出電線部５ｃ１は、仮固定部５６でカバー５０に仮固定されている。これにより、各電線５ａ，５ｂ，５ｃに同じ張力が同時に作用したとき、その張力で、３本の電線５ａ，５ｂ，５ｃのうちで、アース用の電線５ｃが最初に引っ張られるようにできる。これにより、上記の張力で、他の電線５ａ，５ｂが最初に切れることを抑制できる。また、各電線５ａ，５ｂ，５ｃの引出電線部５ａ１，５ｂ１，５ｃ１の長さを同じにして、各電線５ａ，５ｂ，５ｃの引出電線部５ａ１，５ｂ１，５ｃ１の仮固定部５６による弛ませ方で、各電線５ａ，５ｂ，５ｃの切れる順番を設定できる。
【０１３９】
このようにカバー５０の裏面５０ｂに各種部品８が配置される。そして、カバー５０でボディ４０の開口部４０ａが閉じられる。そして、各ねじＮ１が、ボディ４０の外側からボディ４０の各貫通孔６２ｂを通ってカバー５０の各ボス部５４のねじ穴５４ｂにねじ込まれる。これにより、カバー５０がボディ４０の開口部４０ａに固定されて、テーブルタップ１が組み立てられる（図１参照）。
【０１４０】
図１に示すように、この組立状態では、カバー５０の外周部５０ａがボディ４０の開口部４０ａの内側に嵌る。これにより、カバー５０の外周部５０ａがボディ４０で保護される。また、カバー５０の外側壁部５１がボディ４０の縦リブ６０の凹部６０ｂに嵌る。これにより、カバー５０における、ボディ４０の開口部４０ａの開口面上での位置が位置決めされる。また、カバー５０の裏面５０ｂに配置された各コンセントブロック１３の下面が、ボディ４０の底壁４１に設けられた複数の突起部６３で押される。これにより、各コンセントブロック１３の上下方向の位置が位置決めされる。これら突起部６３と位置決め部５５とで、筐体３内での各コンセントブロック１３の位置が位置決めされる。
【０１４１】
また、図１０に示すように、筐体３内で、第１挟持壁部６１と第２挟持壁部５３とで、電源ケーブル５が挟まれる。これにより、筐体３の外部で電源ケーブル５が引っ張られても、その際の張力を、第１挟持壁部６１及び第２挟持壁部５３で構成された挟持部１７で止めることができる。この結果、筐体３の外部で電源ケーブル５が引っ張られても、電源ケーブル５内の電線５ａ，５ｂ，５ｃが電気部品（１０Ａ，１０Ｂ，１２）から外れることを防止できる。
【０１４２】
なお、上記の組立手順は一例であり、各種部品がカバーに配置される順番は、適宜変更されてもよい。
【０１４３】
（まとめ）
第１の態様に係るテーブルタップ（１）は、筐体（３）と、受け部（７０Ａ，７０Ｂ，９０）と、リード部（８０Ａ，８０Ｂ，９１）と、電線（５ａ，５ｂ，５ｃ）と、を備えている。筐体（３）は、差込プラグ（２００）の導体（２０２）が差し込まれる差込孔（２１）を有する。受け部（７０Ａ，７０Ｂ，９０）は、筐体（３）に収容され、差込孔（２１）に差し込まれた導体（２０２）と電気的に接続する。リード部（８０Ａ，８０Ｂ，９１）は、筐体（３）に収容され、受け部（７０Ａ，７０Ｂ，９０）に連結されている。電線（５ａ，５ｂ，５ｃ）は、リード部（８０Ａ，８０Ｂ，９１）に電気的に接続されている。筐体（３）は、カバー（５０）と、ボディ（４０）と、を有する。カバー（５０）は、差込孔（２１）を有する。ボディ（４０）は、開口部（４０ａ）及び内部空間（４０ｆ）を有する。開口部（４０ａ）には、カバー（５０）が取り付けられる。内部空間（４０ｆ）は、開口部（４０ａ）と繋がっている。ボディ（４０）は、内部空間（４０ｆ）に受け部（７０Ａ，７０Ｂ，９０）及びリード部（８０Ａ，８０Ｂ，９１）を収容する。ボディ（４０）は、全周が閉じた電線用孔（４）を有する。電線（５ａ，５ｂ，５ｃ）は、電線用孔（４）を通じて配置されている。
【０１４４】
この構成によれば、ボディ（４０）及びカバー（５０）のうちのボディ（４０）に、電線（５ａ，５ｂ，５ｃ）を筐体（３）の内部から外部に引き出すための電線用孔（４）が設けられている。電線用孔（４）の全周は閉じているため、ボディ（４０）に電線用孔（４）が設けられても、電線用孔（４）によって、ボディ（４０）の強度及び剛性が低下することを防止できる。
【０１４５】
第２の態様に係るテーブルタップ（１）では、第１の態様において、筐体（３）は、挟持部（１７）を有する。挟持部（１７）は、内部空間（４０ｆ）において、電線用孔（４）を通った電線（５ａ，５ｂ，５ｃ）を挟む。
【０１４６】
この構成によれば、筐体（３）の外部で電線（５ａ，５ｂ，５ｃ）が引っ張られても、その際の張力を、挟持部（１７）で止めてリード部（８０Ａ，８０Ｂ，９１）に伝達することを防止できる。この結果、筐体（３）の外部で電線（５ａ，５ｂ，５ｃ）が引っ張られても、電線（５ａ，５ｂ，５ｃ）がリード部（８０Ａ，８０Ｂ，９１）から外れることを防止できる。以下、この効果を張力止めとも記載する。
【０１４７】
第３の態様に係るテーブルタップ（１）では、第１又は第２の態様において、挟持部（１７）は、第１挟持壁部（６１）と、第２挟持壁部（５３）と、を有する。第１挟持壁部（６１）は、ボディ（４０）に設けられている。第２挟持壁部（５３）は、カバー（５０）に設けられている。カバー（５０）が開口部（４０ａ）に取り付けられた状態で、第１挟持壁部（６１）及び第２挟持壁部（５３）によって電線（５ａ，５ｂ，５ｃ）が挟まれている。
【０１４８】
この構成によれば、カバー（５０）をボディ（４０）の開口部（４０ａ）に取り付けることで、挟持部（１７）で電線（５ａ，５ｂ，５ｃ）を挟むことができる。したがって、実質的に、電線（５ａ，５ｂ，５ｃ）を挟持部（１７）で挟む作業を省略できる。この結果、テーブルタップ（１）の組立作業の効率を向上できる。
【０１４９】
第４の態様に係るテーブルタップ（１）では、第３の態様において、第１挟持壁部（６１）は、複数の第１壁部（６１ａ）を有する。複数の第１壁部（６１ａ）は、互いの厚さ方向に間隔を空けて並んでいる。第２挟持壁部（５３）は、複数の第２壁部（５３ａ）を有する。複数の第２壁部（５３ａ）は、互いの厚さ方向に間隔を空けて並んでいる。
【０１５０】
この構成によれば、第１挟持壁部（６１）及び第２挟持壁部（５３）と電線（５ａ，５ｂ，５ｃ）との間の摩擦抵抗を増やすことができ、この結果、張力止めの効果を向上できる。また、第１挟持壁部（６１）及び第２挟持壁部（５３）から電線（５ａ，５ｂ，５ｃ）に作用する圧力を分散でき、この結果、電線（５ａ，５ｂ，５ｃ）への負担を低減できる。
【０１５１】
第５の態様に係るテーブルタップ（１）では、第３又は第４の態様において、ボディ（４０）は、第１挟持壁部（６１）の両端部のうちの少なくとも一方に、第１挟持壁部（６１）と一体的に形成された第１ボス部（６２ａ）を有する。カバー（５０）には、第２挟持壁部（５３）の両端部のうちの少なくとも一方に、第２挟持壁部（５３）と一体的に形成された第２ボス部（５４ａ）を有する。
【０１５２】
この構成によれば、第１ボス部（６２ａ）によって第１挟持壁部（６１）の強度及び剛性を向上できる。また、第２ボス部（５４ａ）によって第２挟持壁部（５３）の強度及び剛性を向上できる。これらの結果、張力止めの効果を更に向上できる。
【０１５３】
第６の態様に係るテーブルタップ（１）では、第５の態様において、カバー（５０）がボディ（４０）の開口部（４０ａ）に取り付けられた状態で、第１ボス部（６２ａ）及び第２ボス部（５４ａ）は、互いに締結される。
【０１５４】
この構成によれば、第１ボス部（６２ａ）と第２ボス部（５４ａ）とを互いに締結することで、カバー（５０）をボディ（４０）に固定できる。そして、カバー（５０）をボディ（４０）に固定するときの締結力を利用して、挟持部（１７）で電線（５ａ，５ｂ，５ｃ）を挟むことができる。その際、第１ボス部（６２ａ）は第１挟持壁部（６１）の端部に設けられ、第２ボス部（５４ａ）は第２挟持壁部（５３）の端部に設けられている。このため、カバー（５０）をボディ（４０）に固定するときの締結力を、効果的に、挟持部（１７）で電線（５ａ，５ｂ，５ｃ）を挟む挟持力として利用できる。
【０１５５】
第７の態様に係るテーブルタップ（１）では、第１〜第６の態様の何れか１つの態様において、カバー（５０）がボディ（４０）の開口部（４０ａ）に取り付けられた状態で、カバー（５０）の外周部（５０ａ）は、開口部（４０ａ）の内側に嵌まる。
【０１５６】
この構成によれば、カバー（５０）の外周部（５０ａ）をボディ（４０）で保護でき、この結果、カバー（５０）の外周部（５０ａ）が、テーブルタップ（１）の周辺に在る周辺物と接触して破損することを防止できる。また、カバー（５０）とボディ（４０）のうちのカバー（５０）側に各種部品が配置されても、カバー（５０）がボディ（４０）で保護されるため、カバー（５０）側に配置された各種部品を保護できる。
【０１５７】
第８の態様に係るテーブルタップ（１）では、第１〜第７の態様の何れか１つの態様において、カバー（５０）は、外側壁部（５１）と、内側壁部（５２）と、を有する。外側壁部（５１）は、カバー（５０）の裏面（５０ｂ）の周縁部に設けられている。内側壁部（５２）は、カバー（５０）の裏面（５０ｂ）において外側壁部（５１）よりも内側に設けられている。
【０１５８】
この構成によれば、外側壁部（５１）及び内側壁部（５２）によって、カバー（５０）の強度及び剛性を向上できる。
【０１５９】
第９の態様に係るテーブルタップ（１）では、第８の態様において、ボディ（４０）には、第１挟持壁部（６１）が設けられている。カバー（５０）には、第２挟持壁部（５３）が設けられている。カバー（５０）がボディ（４０）の開口部（４０ａ）に取り付けられた状態で、第１挟持壁部（６１）及び第２挟持壁部（５３）によって電線（５ａ，５ｂ，５ｃ）が挟まれる。内側壁部（５２）の両端部は、第２挟持壁部（５３）の両端部に繋がっている。
【０１６０】
この構成によれば、第２挟持壁部（５３）を内側壁部（５２）の一部として利用できる。この結果、カバー（５０）の強度及び剛性を更に向上できる。
【０１６１】
第１０の態様に係るテーブルタップ（１）では、第８の態様において、ボディ（４０）の内周面（４６ｂ）には、縦リブ（６０）が設けられている。縦リブ（６０）は、ボディ（４０）の深さ方向に延びている。縦リブ（６０）における開口部（４０ａ）の側の端部には、凹部（６０ｂ）が設けられている。凹部（６０ｂ）には、カバー（５０）がボディ（４０）の開口部（４０ａ）に取り付けられた状態で、カバー（５０）の外側壁部（５１）が嵌る。
【０１６２】
この構成によれば、カバー（５０）がボディ（４０）の開口部（４０ａ）に取り付けられた状態で、カバー（５０）の外側壁部（５１）が、縦リブ（６０）における開口部（４０ａ）の側の端部の凹部（６０ｂ）に嵌る。このため、カバー（５０）を開口部（４０ａ）の内側に位置決めできる。より詳細には、外側壁部（５１）が凹部（６０ｂ）の底部に接触することで、ボディ（４０）の深さ方向に対するカバー（５０）の位置を開口部（４０ａ）の開口面に位置決めできる。また、外側壁部（５１）の側面が凹部（６０ｂ）の内側面に接触することで、開口部（４０ａ）の開口面でのカバー（５０）の位置を所定位置に位置決めできる。
【０１６３】
第１１の態様に係るテーブルタップ（１）では、第１０の態様において、ボディ（４０）の内周面（４６ｂ）の下部（Ｇ２）は、内周面（４６ｂ）の下端に向かってボディ（４０）の内部側に傾斜している。縦リブ（６０）の下部（６０ｄ）は、内周面（４６ｂ）の下部（Ｇ２）に沿ってボディ（４０）の内部側に傾斜している。
【０１６４】
この構成によれば、縦リブ（６０）の下部（６０ｄ）は、ボディ（４０）の内周面（４６ｂ）の傾斜に沿って傾斜しているため、縦リブ（６０）の幅が下部（６０ｄ）ほど細くなることを防止できる。この結果、縦リブ（６０）の下部（６０ｄ）の強度及び剛性を確保できる。
【０１６５】
第１２の態様に係るテーブルタップ（１）では、第８〜第１１の態様の何れか１つの態様において、カバー（５０）に対する内側壁部（５２）の高さは、カバー（５０）に対する外側壁部（５１）の高さよりも高い。
【０１６６】
この構成によれば、内側壁部（５２）が外側壁部（５１）よりも高いため、カバー（５０）の強度及び剛性を向上できる。また、内側壁部（５２）が外側壁部（５１）よりも高い。このため、ボディ（４０）の内周面（４６ｂ）が下部（Ｇ２）ほどボディ（４０）の内部側に傾斜していても、内側壁部（５２）及び外側壁部（５１）の両方がボディ（４０）の内周面（４６ｂ）に干渉することを防止できる。
【０１６７】
第１３の態様に係るテーブルタップ（１）では、第１〜第１２の態様の何れか１つの態様において、遮断部（６）を更に備える。遮断部（６）は、電線（５ａ，５ｂ）に所定の電流値以上の電流が流れると、電線（５ａ，５ｂ）を遮断する。
【０１６８】
この構成によれば、テーブルタップ（１）を過電流から保護できる。
【０１６９】
第１４の態様に係るテーブルタップ（１）では、第１〜第１３の態様の何れか１つの態様において、カバー（５０）には、位置決め部（５５）が設けられている。位置決め部（５５）は、受け部（７０Ａ，７０Ｂ，９０）を保持するコンセントブロック（１３）を位置決めする。
【０１７０】
この構成によれば、カバー（５０）をボディ（４０）の開口部（４０ａ）に取り付ける前に、カバー（５０）に、コンセントブロック（１３）を位置決めして配置できる。これにより、カバー（５０）をボディ（４０）の開口部（４０ａ）に取り付ける前に各種部品（８）をカバー（５０）に取り付け、その後に、カバー（５０）をボディ（４０）の開口部（４０ａ）に取り付けることができる。遮断部（６）がカバー（５０）に固定される場合は、カバー（５０）をボディ（４０）の開口部（４０ａ）に取り付ける前に各種部品（８）をカバー（５０）に取り付けることで、コンセントブロック（１３）の組立作業の作業性を向上できる。
【０１７１】
第１５の態様に係るテーブルタップ（１）では、第１〜第１４の態様の何れか１つの態様において、カバー（５０）には、仮固定部（５６）が設けられている。仮固定部（５６）は、電線（５ａ，５ｃ）を仮固定する。
【０１７２】
この構成によれば、カバー（５０）をボディ（４０）の開口部（４０ａ）に取り付ける前に、電線（５ａ，５ｃ）をカバー（５０）に仮固定できる。この結果、カバー（５０）をボディ（４０）の開口部（４０ａ）に取り付けるときに、電線（５ａ，５ｃ）をカバー（５０）とボディ（４０）との間に挟み込むことを防止できる。
【０１７３】
第１６の態様に係るテーブルタップ（１）では、第１５の態様の何れか１つの態様において、リード部（８０Ａ，８０Ｂ，９１）は、複数のリード部である。電線（５ａ，５ｂ，５ｃ）は、複数のリード部（８０Ａ，８０Ｂ，９１）に一対一に対応し、対応するリード部（８０Ａ，８０Ｂ，９１）に電気的に接続された複数の電線である。複数の電線（５ａ，５ｂ，５ｃ）は、外装（５ｄ）で束ねられている。複数の電線（５ａ，５ｂ，５ｃ）は、外装（５ｄ）の端部から互いに同じ長さ引き出された引出電線部（５ａ１，５ｂ１，５ｃ１）を有する。仮固定部（５６）は、複数の電線（５ａ，５ｂ，５ｃ）のうち、アース用の電線（５ｃ）の引出電線部（５ｃ１）が、他の電線（５ａ，５ｂ）の引出電線部（５ａ１，５ｂ１）よりも弛みが少なくなるように、アース用の電線（５ｃ）の引出電線部（５ｃ１）をカバー（５０）に仮固定する。
【０１７４】
この構成によれば、複数の電線（５ａ，５ｂ，５ｃ）に同じ張力が同時に作用したとき、その張力で、複数の電線（５ａ，５ｂ，５ｃ）のうち、アース用の電線（５ｃ）が最初に引っ張られるようにできる。これにより、上記の張力で、他の電線（５ａ，５ｂ）が切れることを抑制できる。また、複数の電線（５ａ，５ｂ，５ｃ）の引出電線部（５ａ１，５ｂ１，５ｃ１）の長さを同じにして、引出電線部（５ａ１，５ｂ１，５ｃ１）の仮固定部（５６）による弛ませ方で、複数の電線（５ａ，５ｂ，５ｃ）の切れる順番を設定できる。
【符号の説明】
【０１７５】
１  テーブルタップ
３  筐体
４  電線用孔
５ａ，５ｂ，５ｃ  電線
５ａ１，５ｂ１，５ｃ１  引出電線部
６  遮断部
１３  コンセントブロック
１７  挟持部
２１  差込孔
４０  ボディ
４０ａ  開口部
４６ｂ  内周面
４６ｆ  内部空間
５０  カバー
５０ａ  外周部
５１  外側壁部
５２  内側壁部
５３  第２挟持壁部
５３ａ  第２壁部
５４ａ  第２ボス部
５５  位置決め部
５６  仮固定部
６０  縦リブ
６０ｂ  凹部
６０ｆ  下部
６１  第１挟持壁部
６１ａ  第１壁部
６２ａ  第１ボス部
７０Ａ，７０Ｂ，９０  受け部
８０Ａ，８０Ｂ，９１  リード部
２００  差込プラグ
２０２  導体
Ｇ２  下部
【図１】
2019185894.tif 000003
【図２】
2019185894.tif 000004
【図３】
2019185894.tif 000005
【図４】
2019185894.tif 000006
【図５】
2019185894.tif 000007
【図６】
2019185894.tif 000008
【図７】
2019185894.tif 000009
【図８】
2019185894.tif 000010
【図９】
2019185894.tif 000011
【図１０】
2019185894.tif 000012